(57)【要約】【課題】絶縁操作棒を用いて、高圧電線に取り付けできる高圧端子カバーを提供する。【解決手段】高圧端子カバー１０は、カバー本体１、キャップ体２、及び一対の止めピン３１・３２を備える。カバー本体１は、Ｙ字状に分岐した一対の高圧電線ｗ１・ｗ２の端末を収容できる。キャップ体２は、カバー本体１の開口を覆うことができる。一対の止めピン３１・３２は、カバー本体１とキャップ体２を挿通でき、カバー本体１にスライド自在に片持ち支持されている。一対の止めピン３１・３２は、相互に係合可能な係合部を先端部に有し、一対の開閉腕の先端爪５１ａ・５１ｂが挿入される把持部を基端部に有する。絶縁操作棒５を操作して、一対の開閉腕５ａ・５ｂを開閉することで、一対の止めピン３１・３２の先端縁が離間した状態と互いに当接した状態に、一対の止めピン３１・３２を連動させる。【選択図】図２
2015070784.tif 000002
【特許請求の範囲】
【請求項１】
Ｙ字状に分岐した一対の高圧電線の端末を収容可能に開口された有底筒状のカバー本体、及び前記カバー本体の開口を覆うキャップ体を備えた高圧端子カバーであって、
前記カバー本体と前記キャップ体を挿通すると共に、前記カバー本体にスライド自在に片持ち支持された一対の対向する棒状の止めピンを備え、
これらの止めピンは、
先端部に形成され、相互に係合可能な係合部と、
基端部に形成され、絶縁操作棒の先端部に設けた一対の開閉腕の先端爪が挿入される把持部と、を有し、
前記絶縁操作棒を操作して一対の前記開閉腕を開閉することで、一対の前記止めピンの先端縁が離間した状態と互いに当接した状態に一対の当該止めピンを連動させる、高圧端子カバー。
【請求項２】
一対の前記止めピンは、その軸回りに回転が困難な四角柱の軸部を先端部側に有し、
これらの軸部は、軸方向と略直交する方向に互いに重なり合う段差を先端部に有し、
一方の段差は、他方の段差面に向けて隆起する半球状のボスを有し、
他方の段差は、前記ボスが嵌合するディンプルを当該段差面に穿設している請求項１記載の高圧端子カバー。
【請求項３】
前記軸部は、その先端縁から軸方向に突出する楔状の突部と、相手側の前記突部を受容し、Ｖ字状に穿設された凹部と、を有する請求項２記載の高圧端子カバー。
【請求項４】
前記止めピンは、前記カバー本体からの脱落を防止するための脱落防止爪を先端部に有する請求項１から３のいずれかに記載の高圧端子カバー。
【請求項５】
前記キャップ体は、一端部側を屈曲自在なヒンジ部で連結し、他端部側を開閉自在に構成した一対の分割されたキャップ片を備え、
一方の前記キャップ片は、前記ヒンジ部と反対側の他端部側に突出し、一対の開閉腕を先端部に有する絶縁操作棒で把持することが容易な第１把持片を有し、
他方の前記キャップ片は、前記第１把持片と対向するように、前記ヒンジ部と反対側の他端部側に突出し、一対の開閉腕を先端部に有する絶縁操作棒で把持することが容易な第２把持片を有し、
前記第１把持片は、前記第２把持片に向かって、一方の面から突出する円柱状のフック部材を有し、
前記第２把持片は、前記フック部材が嵌合される係合穴を開口している、請求項１から４のいずれかに記載の高圧端子カバー。
【発明の詳細な説明】
【技術分野】
【０００１】
本発明は、高圧端子カバーに関する。特に、間接活線工事用の高圧端子カバーであって、少なくとも一対の高圧電線の端末を並列に配置し、被覆が剥離されたこれらの高圧電線の芯線を接続した蓄力コネクタが外部に露出しないように保護する高圧端子カバーの構造に関する。
【背景技術】
【０００２】
キュービクル式高圧受電設備は、例えば、金属製の外箱の内部に計器用変成器を設置している。そして、計器用変成器から引き出された１次側のリード線の端末と高圧電線の端末が蓄力コネクタで接続されている。そして、この蓄力コネクタが外部に露出しないように、高圧端子カバーで保護している。
【０００３】
図６は、従来技術による高圧端子カバーを備えた計器用変成器の斜視図である。図６を参照すると、電柱Ｐは、上部に腕金Ａを取り付けている。腕金Ａには、懸垂式の計器用変成器Ｓを設置している。そして、計器用変成器Ｓから引き出された１次側のリード線（高圧電線）ｗ１の端末と高圧電線ｗ２の端末を蓄力コネクタ（図示せず）で接続している。この蓄力コネクタは、外部に露出しないように、円筒状の高圧端子カバー９で保護している。
【０００４】
図６を参照して、高圧端子カバー９は、有底筒状のカバー本体とキャップ体とからなり、一対の高圧電線ｗ１・ｗ２の端末を同一方向に揃え、それぞれの端末の芯線同士を接続した蓄力コネクタを内部に封入して保護している。図６に示したような円筒状の高圧端子カバーは、例えば、特許文献１の従来技術に開示されている。
【先行技術文献】
【特許文献】
【０００５】
【特許文献１】特開２００８−２５８０３９号公報
【発明の概要】
【発明が解決しようとする課題】
【０００６】
図７は、従来技術による高圧端子カバーの構成を示す図であり、図７（Ａ）は、高圧端子カバーの平面図、図７（Ｂ）は、高圧端子カバーの正面図、図７（Ｃ）は、高圧端子カバーの右側面図である。本願の図７は、特許文献１の図７に相当している。
【０００７】
図８は、従来技術による高圧端子カバーの取り付け作業の手順を示す図であり、図８（Ａ）は、一対の高圧電線の端末を接続した状態を示す正面図、図８（Ｂ）は、高圧端子カバーに備わるカバー本体にキャップ体を取り付ける前の状態を示す正面図、図８（Ｃ）は、高圧端子カバーに備わるカバー本体に一対の高圧電線の端末を導入した状態を示す正面図、図８（Ｄ）は、高圧端子カバーに備わるカバー本体にキャップ体を取り付けた状態を示す正面図である。本願の図８は、特許文献１の図８に相当している。
【０００８】
図７又は図８を参照すると、従来技術による高圧端子カバー９は、有底筒状のカバー本体９１、キャップ体９２、及び棒状の止めピン９３を備えている。カバー本体９１は、一対の高圧電線ｗ１・ｗ２の端末を収容できる容量と深さを有している（図８（Ｃ）参照）。又、カバー本体９１は、その横断面を角丸長方形に形成している。更に、カバー本体９１は、水抜き部９１ｗを底部に備えている。
【０００９】
図７又は図８を参照すると、カバー本体９１は、一対の平坦な側面９１１・９１１と一対の円弧側面９１２・９１２で囲っている。カバー本体９１は、一方の側面９１１から他方の側面９１１を貫通した穴９１ｋを開口している（図８（Ｂ）参照）。穴９１ｋは、一方の円弧側面９１２寄りに偏って貫通している。穴９１ｋには、止めピン９３を挿通できる。カバー本体９１は、絶縁性を有する比較的軟質の合成樹脂で成形している。
【００１０】
図７又は図８を参照すると、キャップ体９２は、絶縁性を有する比較的硬質の合成樹脂で成形している。キャップ体９２は、一端部側を屈曲自在なヒンジ部９２ｈで連結し、他端部側を開閉自在に構成した一対の分割されたキャップ片９２ａ・９２ｂを備えている。キャップ片９２ａは、その他端部側にロック部材９２１を設けている。一方、キャップ片９２ｂは、その他端部側にラッチ部材９２２を設けている。ロック部材９２１とラッチ部材９２２を係合することで、一対のキャップ片９２ａ・９２ｂを閉止できる。
【００１１】
図７を参照すると、キャップ体９２は、一組の高圧電線ｗ１・ｗ２が挿通される一組の楕円状の開口９２３・９２４を上面に開口している。一方の開口９２３には、高圧電線ｗ１を挿通できる。他方の開口９２４には、高圧電線ｗ２を挿通できる。これらの開口９２３・９２４には、先端縁が高圧電線ｗ１・ｗ２の外周に弾性的に当接する複数のばね片を上部に向けて傾斜配置している。又、キャップ体９２は、止めピン９３を挿通可能な穴９２ｋを鍔部に開口している（図８（Ｂ）参照）。
【００１２】
図７又は図８を参照すると、止めピン９３は、絶縁性を有する比較的硬質の合成樹脂で成形している。止めピン９３は、一対の球状部９ａ・９ｂ、軸部９ｃ、及び鍔部９ｄを有している。一対の球状部９ａ・９ｂは、軸部９ｃの両端部に形成している。鍔部９ｄは、一方の球状部９ａの首部に形成している。
【００１３】
図７又は図８を参照すると、他方の球状部９ｂの直径は、軸部９ｃの直径より僅かに大きく形成されている。カバー本体９１の穴９１ｋとキャップ体９２の穴９２ｋを一致させた状態で、他方の球状部９ｂを先頭にして、止めピン９３をこれらの穴９１ｋ・９２ｋに挿入でき、カバー本体９１とキャップ体９２を連結できる。一方、一方の球状部９ａを把持して、止めピン９３を強い力でこれらの穴９１ｋ・９２ｋから引き抜くことができ、カバー本体９１とキャップ体９２を分離できる。
【００１４】
次に、図８を参照して、高圧端子カバー９の取り付け方法を説明する。最初に、図８（Ａ）を参照して、一対の高圧電線ｗ１・ｗ２の端末を並列に配置し、被覆が剥離されたこれらの高圧電線ｗ１・ｗ２の芯線を一組の蓄力コネクタ８・８で接続しておく。
【００１５】
次に、図８（Ｂ）を参照して、高圧端子カバー９から止めピン９３を引き抜いて、キャップ体９２をカバー本体９１から外した状態にしておく。次に、図８（Ｃ）を参照して、一組の蓄力コネクタ８・８で接続された一対の高圧電線ｗ１・ｗ２の端末をカバー本体９１の内部に配置する。なお、実作業では、カバー本体９１を下方から持ち上げて、カバー本体９１の内部に一対の高圧電線ｗ１・ｗ２の端末を配置している。
【００１６】
次に、図８（Ｃ）に示した状態を維持して、一対のキャップ片９２ａ・９２ｂを開き（図７（Ａ）参照）、一組の開口９２３・９２４から一対の高圧電線ｗ１・ｗ２が延出するように、一対のキャップ片９２ａ・９２ｂを閉じ（図７（Ａ）参照）、キャップ体９２をカバー本体９１に嵌合させる（図８（Ｄ）参照）。次に、止めピン７５を穴９１ｋ・９２ｋに挿入ことで、高圧端子カバー９の取り付け作業を完了する。
【００１７】
図７又は図８に示した高圧端子カバー９は、Ｙ字状に分岐した一対の高圧電線ｗ１・ｗ２の間に止めピン９３を挿通し、一対の高圧電線ｗ１・ｗ２で吊り下げられている。高圧端子カバー９は、被覆が剥離された一対の高圧電線ｗ１・ｗ２の芯線を接続した蓄力コネクタ８が外部に露出しないように、絶縁性を有するキャップ体９２及びカバー本体９１で保護している。
【００１８】
特許文献１では、一対の高圧電線ｗ１・ｗ２が活線状態（通電状態）において、上記の高圧端子カバー９の取り付け作業を間接活線工事で実現できる、としている。
【００１９】
しかしながら、特許文献１の従来技術による高圧端子カバー９は、一対の開閉腕を先端部に有する絶縁操作棒（いわゆる、絶縁ヤットコ）を用いて、一方の球状部９ａを確実に把持することが困難である（図７又は図８参照）。これに起因して、絶縁ヤットコを用いて、止めピン９３をキャップ体９２及びカバー本体９１に抜き差しすることを困難にしている。間接活線工事に好適な絶縁操作棒を用いて、高圧電線への取り付けが容易な高圧端子カバーが求められている。そして、以上のことが本発明の課題といってよい。
【００２０】
本発明は、このような課題に鑑みてなされたものであり、絶縁操作棒を用いて、高圧電線への取り付けが容易な高圧端子カバーを提供することを目的とする。
【課題を解決するための手段】
【００２１】
本発明者は、Ｙ字状に分岐した一対の高圧電線の端末を収容可能に開口されたカバー本体と、カバー本体の開口を覆うキャップ体で構成した高圧端子カバーであって、カバー本体とキャップ体を挿通する止めピンを、カバー本体及びキャップ体でスライド自在に片持ち支持された一対の止めピンで構成し、これらの止めピンを同軸上に配置すると共に、これらの止めピンが相互に係合可能な係合部を先端部に形成し、絶縁操作棒の先端部に設けた一対の開閉腕の先端爪が挿入される把持部を止めピンの基端部に形成することで、絶縁操作棒を用いて、高圧電線への取り付けが容易なことを見出し、これに基づいて、以下のような新たな高圧端子カバーを発明するに至った。
【００２２】
（１）本発明による高圧端子カバーは、Ｙ字状に分岐した一対の高圧電線の端末を収容可能に開口された有底筒状のカバー本体、及び前記カバー本体の開口を覆うキャップ体を備えた高圧端子カバーであって、前記カバー本体と前記キャップ体を挿通すると共に、前記カバー本体にスライド自在に片持ち支持された一対の対向する棒状の止めピンを備え、これらの止めピンは、先端部に形成され、相互に係合可能な係合部と、基端部に形成され、絶縁操作棒の先端部に設けた一対の開閉腕の先端爪が挿入される把持部と、を有し、前記絶縁操作棒を操作して一対の前記開閉腕を開閉することで、一対の前記止めピンの先端縁が離間した状態と互いに当接した状態に一対の当該止めピンを連動させる。
【００２３】
（２）一対の前記止めピンは、その軸回りに回転が困難な四角柱の軸部を先端部側に有し、これらの軸部は、軸方向と略直交する方向に互いに重なり合う段差を先端部に有し、一方の段差は、他方の段差面に向けて隆起する半球状のボスを有し、他方の段差は、前記ボスが嵌合するディンプルを当該段差面に穿設していることが好ましい。
【００２４】
（３）前記軸部は、その先端縁から軸方向に突出する楔状の突部と、相手側の前記突部を受容し、Ｖ字状に穿設された凹部と、を有することが好ましい。
【００２５】
（４）前記止めピンは、前記カバー本体からの脱落を防止するための脱落防止爪を先端部に有することが好ましい。
【００２６】
（５）前記キャップ体は、一端部側を屈曲自在なヒンジ部で連結し、他端部側を開閉自在に構成した一対の分割されたキャップ片を備え、一方の前記キャップ片は、前記ヒンジ部と反対側の他端部側に突出し、一対の開閉腕を先端部に有する絶縁操作棒で把持することが容易な第１把持片を有し、他方の前記キャップ片は、前記第１把持片と対向するように、前記ヒンジ部と反対側の他端部側に突出し、一対の開閉腕を先端部に有する絶縁操作棒で把持することが容易な第２把持片を有し、前記第１把持片は、前記第２把持片に向かって、一方の面から突出する円柱状のフック部材を有し、前記第２把持片は、前記フック部材が嵌合される係合穴を開口していることが好ましい。
【発明の効果】
【００２７】
本発明による高圧端子カバーは、カバー本体とキャップ体を挿通すると共に、カバー本体にスライド自在に片持ち支持された一対の対向する止めピンを備え、これらの止めピンは、絶縁操作棒の先端部に設けた一対の開閉腕の先端爪が挿入される把持部を基端部に形成しているので、絶縁操作棒を操作して一対の開閉腕を開閉することで、一対の止めピンの先端縁が離間した状態と互いに当接した状態に一対の止めピンを容易に連動できる。
【図面の簡単な説明】
【００２８】
【図１】本発明の一実施形態による高圧端子カバーの構成を示す図であり、図１（Ａ）は、高圧端子カバーの平面図、図１（Ｂ）は、高圧端子カバーの正面図、図１（Ｃ）は、高圧端子カバーの右側面図である。
【図２】前記実施形態による高圧端子カバーの構成を示す斜視分解組立図であり、一対の止めピンの先端縁が互いに当接した状態図である。
【図３】前記実施形態による高圧端子カバーの構成を示す斜視分解組立図であり、一対の止めピンの先端縁が離間した状態図である。
【図４】前記実施形態による高圧端子カバーの構成を示す平面図であり、一対の止めピンの先端縁が互いに当接した状態図である。
【図５】前記実施形態による高圧端子カバーの構成を示す平面図であり、一対の止めピンの先端縁が離間した状態図である。
【図６】従来技術による高圧端子カバーを備えた計器用変成器の斜視図である。
【図７】従来技術による高圧端子カバーの構成を示す図であり、図７（Ａ）は、高圧端子カバーの平面図、図７（Ｂ）は、高圧端子カバーの正面図、図７（Ｃ）は、高圧端子カバーの右側面図である。
【図８】従来技術による高圧端子カバーの取り付け作業の手順を示す図であり、図８（Ａ）は、一対の高圧電線の端末を接続した状態を示す正面図、図８（Ｂ）は、高圧端子カバーに備わるカバー本体にキャップ体を取り付ける前の状態を示す正面図、図８（Ｃ）は、高圧端子カバーに備わるカバー本体に一対の高圧電線の端末を導入した状態を示す正面図、図８（Ｄ）は、高圧端子カバーに備わるカバー本体にキャップ体を取り付けた状態を示す正面図である。
【発明を実施するための形態】
【００２９】
以下、図面を参照して本発明を実施するための形態を説明する。
［高圧端子カバーの構成］
最初に、本発明の一実施形態による高圧端子カバーの構成を説明する。
【００３０】
図１は、本発明の一実施形態による高圧端子カバーの構成を示す図であり、図１（Ａ）は、高圧端子カバーの平面図、図１（Ｂ）は、高圧端子カバーの正面図、図１（Ｃ）は、高圧端子カバーの右側面図である。
【００３１】
図２は、前記実施形態による高圧端子カバーの構成を示す斜視分解組立図であり、一対の止めピンの先端縁が互いに当接した状態図である。図３は、前記実施形態による高圧端子カバーの構成を示す斜視分解組立図であり、一対の止めピンの先端縁が離間した状態図である。
【００３２】
図４は、前記実施形態による高圧端子カバーの構成を示す平面図であり、一対の止めピンの先端縁が互いに当接した状態図である。図５は、前記実施形態による高圧端子カバーの構成を示す平面図であり、一対の止めピンの先端縁が離間した状態図である。なお、従来技術で使用した符号と同じ符号は、その作用を同一にするので、以下の説明では割愛することがある。
【００３３】
（全体構成）
図１から図５を参照すると、本発明の一実施形態による高圧端子カバー１０は、有底筒状のカバー本体１、キャップ体２、及び一対の対向する棒状の止めピン３１・３２を備えている。カバー本体１は、一対の高圧電線ｗ１・ｗ２の端末を収容できる容量と深さを有している（図８（Ａ）参照）。又、カバー本体１は、その横断面を角丸長方形に形成している。更に、カバー本体１は、水抜き部１ｗを底部に備えている。
【００３４】
（カバー本体の構成）
図１から図５を参照すると、カバー本体１は、絶縁性を有する比較的軟質の合成樹脂で成形している。カバー本体１は、一対の平坦な側面１１１・１１１と一対の円弧側面１１２・１１２で囲っている。カバー本体１は、一対の側面１１１・１１１から相反する向きに突出した一対の耳部１１ａ・１１ｂを形成している。一対の耳部１１ａ・１１ｂは、一方の円弧側面１１２寄りに偏って形成している。
【００３５】
図１から図５を参照すると、カバー本体１は、耳部１１ａ及び一方の側面１１１から他方の側面１１１及び耳部１１ｂを貫通した四角形の穴１１ｈを開口している（図２又は図３参照）。穴１１ｈは、一方の円弧側面１１２寄りに偏って貫通している。耳部１１ａ及び一方の穴１１ｈには、止めピン３１の軸部３１ｓを挿通できる。耳部１１ｂ及び他方の穴１１ｈには、止めピン３２の軸部３２ｓを挿通できる。
【００３６】
（キャップ体の構成）
図１から図５を参照すると、キャップ体２は、絶縁性を有する比較的硬質の合成樹脂で成形している。キャップ体２は、一端部側を屈曲自在なヒンジ部２ｈで連結し、他端部側を開閉自在に構成した一対の分割されたキャップ片２ａ・２ｂを備えている。キャップ片２ａは、ヒンジ部２ｈと反対側の他端部側に突出した第１把持片２１ａを備えている。キャップ片２ｂは、第１把持片２１ａと対向するように、ヒンジ部２ｈと反対側の他端部側に突出した第２把持片２１ｂを備えている。
【００３７】
図５を参照すると、第１把持片２１ａは、第２把持片２１ｂに向かって、一方の面から突出する円柱状のフック部材２１ｆを有している。一方、第２把持片２１ｂは、フック部材２１ｆが嵌合される係合穴２１ｈを開口している。
【００３８】
図２又は図３参照して、後述する一対の開閉腕５ａ・５ｂを先端部に有する絶縁操作棒５を用いて、一組の第１把持片２１ａ及び第２把持片２１ｂを把持することで、フック部材２１ｆと係合穴２１ｈを係合でき、一対のキャップ片２ａ・２ｂを閉止できる。一組の絶縁操作棒５・５を用いて（図２又は図３参照）、第１把持片２１ａ及び第２把持片２１ｂを把持し、第１把持片２１ａに対して、第２把持片２１ｂを引き離すことで、一対のキャップ片２ａ・２ｂを開くことができる。
【００３９】
図１から図３を参照すると、キャップ体２は、一組の高圧電線ｗ１・ｗ２が挿通される一組の楕円状の開口２３ｈ・２４ｈを上面に開口している（図８（Ａ）参照）。一方の開口２３ｈには、高圧電線ｗ１を挿通できる。他方の開口２４ｈには、高圧電線ｗ２を挿通できる。これらの開口２３ｈ・２４ｈには、先端縁が高圧電線ｗ１・ｗ２の外周に弾性的に当接する複数のばね片を上部に向けて傾斜配置している。
【００４０】
図１から図３を参照すると、キャップ体２は、相反する向きに突出する一対の凸部２５・２６を鍔部に備えている。一方の凸部２５は、耳部１１ａを上側から覆うことができる。他方の凸部２６は、耳部１１ｂを上側から覆うことができる。一対の凸部２５・２６は、一方の円弧側面１１２寄りに偏った一対の耳部１１ａ・１１ｂに嵌合できる。これにより、カバー本体１に対して、キャップ体２の誤装着を防止できる。
【００４１】
図２又は図３を参照すると、一方の凸部２５は、一方の穴１１ｈに連通する矩形の穴２５ｈを外面に開口している。他方の凸部２６は、他方の穴１１ｈに連通する矩形の穴２６ｈを外面に開口している。一方の穴２５ｈには、止めピン３１の軸部３１ｓを挿通できる。他方の穴２６ｈには、止めピン３２の軸部３２ｓを挿通できる。
【００４２】
（一対の止めピンの構成）
図１から図５を参照すると、一対の止めピン３１・３２は、絶縁性を有する比較的硬質の合成樹脂で成形している。一方の止めピン３１は、その軸回りに回転が困難な四角柱の軸部３１ｓを先端部側に有している。同様に、他方の止めピン３２は、その軸回りに回転が困難な四角柱の軸部３２ｓを先端部側に有している。
【００４３】
図１から図５を参照すると、一方の止めピン３１は、その軸部３１ｓを一方の穴１１ｈにスライド自在に嵌合している。そして、一方の止めピン３１は、耳部１１ａを含むカバー本体１の一方の側面１１１に片持ち支持されている。他方の止めピン３２は、その軸部３２ｓを他方の穴１１ｈにスライド自在に嵌合している。そして、他方の止めピン３２は、耳部１１ｂを含むカバー本体１の他方の側面１１１に片持ち支持されている。
【００４４】
図２から図５を参照すると、一対の軸部３１ｓ・３２ｓは、軸方向と略直交する方向に互いに重なり合う段差３ｕ・３ｕを先端部に形成している。一方の軸部３１ｓに形成した段差３ｕには、他方の軸部３２ｓに形成した段差３ｕの段差面に向けて隆起する半球状のボス３ｂを形成している。他方の軸部３２ｓに形成した段差３ｕの段差面には、ボス３ｂが嵌合するディンプル３ｄを穿設している。
【００４５】
図５に示した状態から、一対の止めピン３１・３２を相対的に近づけて、一対の止めピン３１・３２の先端縁を当接すると（図４参照）、ボス３ｂをディンプル３ｄに嵌合できる。そして、一対の止めピン３１・３２を相互に係合できる。つまり、一対の止めピン３１・３２は、相互に係合可能な係合部ｍ１・ｍ２を先端部に形成している（図５参照）。
【００４６】
図２から図５を参照すると、一方の止めピン３１は、楔状の突部３ｗとＶ字状に穿設された凹部３ｖを有している。同様に、他方の止めピン３２は、楔状の突部３ｗと凹部３ｖを有している。突部３ｗは、一対の止めピン３１・３２の先端縁から軸方向に突出している。凹部３ｖは、相手側の突部３ｗを受容できる。
【００４７】
図５に示した状態から、一対の止めピン３１・３２を相対的に近づけて、一対の止めピン３１・３２の先端縁を当接すると（図４参照）、突部３ｗが相手側の凹部３ｖに噛み合って、一対の止めピン３１・３２が軸方向と直交する方向に離間することを防止できる。
【００４８】
図２又は図５を参照すると、一方の止めピン３１は、その軸部３１ｓの側面から突出した鉤状の脱落防止爪３ｎを先端部に形成している。図４に示した状態から、一方の止めピン３１を引き抜くと、脱落防止爪３ｎがカバー本体１の内壁に当接して（図５参照）、一方の止めピン３１の不用意な脱落を防止できる。
【００４９】
同様に、図２又は図５を参照すると、他方の止めピン３２は、その軸部３２ｓの側面から突出した鉤状の脱落防止爪３ｎを先端部に形成している。図４に示した状態から、他方の止めピン３２を引き抜くと、脱落防止爪３ｎがカバー本体１の内壁に当接して（図５参照）、他方の止めピン３２の不用意な脱落を防止できる。
【００５０】
図１から図５を参照すると、一方の止めピン３１は、軸方向に連設した二つの半円状のフランジ板３１ｆ・３１ｆを基端部に備えている。同様に、他方の止めピン３１は、軸方向に連設した二つの半円状のフランジ板３２ｆ・３２ｆを基端部に備えている。
【００５１】
図２又は図３を参照すると、二つのフランジ板３１ｆ・３１ｆの間には、後述する先端爪５１ａを挿入できる。二つのフランジ板３２ｆ・３２ｆの間には、後述する先端爪５１ｂを挿入できる。つまり、一方の止めピン３１は、先端爪５１ａが挿入される把持部ｎ１を基端部に有し、他方の止めピン３２は、先端爪５１ｂが挿入される把持部ｎ２を基端部に有している（図５参照）。
【００５２】
（絶縁操作棒の構成）
図２又は図３を参照すると、絶縁操作棒５は、一対の開閉腕５ａ・５ｂを先端部に備えている。一方の開閉腕５ａは可動腕であり、他方の開閉腕５ｂは固定腕である。一方の開閉腕５ａに対して、回動中心５ｃを支点に他方の開閉腕５ｂを開閉できる。一方の開閉腕５ａは、先端爪５１ａを有している。他方の開閉腕５ｂは、先端爪５１ｂを有している。
【００５３】
図２又は図３を参照すると、絶縁操作棒５は、主操作棒５１の先端部に他方の開閉腕５ｂを固定している。絶縁操作棒５は、主操作棒５１に沿って、補助操作棒５２を配置している。補助操作棒５２の先端部は、一方の開閉腕５ａに連結している。主操作棒５１の手許部に設けた操作レバー（図示せず）を操作すると、補助操作棒５２を軸方向に移動でき、一対の先端爪５１ａ・５１ｂを開閉できる。このような絶縁操作棒５は、いわゆる、絶縁ヤットコと呼ばれている。
【００５４】
図２を参照して、一対の止めピン３１・３２の先端部が互いに係合した状態から、二つのフランジ板３１ｆ・３１ｆの間に先端爪５１ａを挿入すると共に、二つのフランジ板３２ｆ・３２ｆの間に先端爪５１ｂを挿入し、一対の開閉腕５ａ・５ｂを開くと、これに連動して、一対の止めピン３１・３２の先端縁を離間できる（図３又は図５参照）。
【００５５】
図３を参照して、一対の止めピン３１・３２の先端縁が離間した状態から、二つのフランジ板３１ｆ・３１ｆの間に先端爪５１ａを挿入すると共に、二つのフランジ板３２ｆ・３２ｆの間に先端爪５１ｂを挿入した状態で、一対の開閉腕５ａ・５ｂを閉じると、これに連動して、一対の止めピン３１・３２の先端部を互いに係合できる（図２又は図４参照）。
【００５６】
［高圧端子カバーの作用］
次に、実施形態による高圧端子カバー１０の取り付け方法を説明しながら、高圧端子カバー１０の作用及び効果を説明する。最初に、図８（Ａ）を参照して、一対の高圧電線ｗ１・ｗ２の端末を並列に配置し、被覆が剥離されたこれらの高圧電線ｗ１・ｗ２の芯線を一組の蓄力コネクタ８・８で接続しておく。
【００５７】
次に、図３を参照して、キャップ体２をカバー本体１に被せ、一対の止めピン３１・３２をカバー本体１に挿入しておく。この場合、図３に示すように、一対の止めピン３１・３２の先端縁が離間した状態にしておくことが好ましい。又、一対のキャップ片２ａ・２ｂは、開いておくことが好ましい。一対の止めピン３１・３２をカバー本体１に保持した状態で、一対のキャップ片２ａ・２ｂが開けるように、一対の穴２５ｈ・２６ｈは一方の側面側に切り欠かれている（図２又図３参照）。
【００５８】
次に、図３を参照して、第１把持片２１ａ又は第２把持片２１ｂを絶縁操作棒５で把持し、一対の高圧電線ｗ１・ｗ２の端末に向けて（図８（Ａ）参照）、高圧端子カバー１０を下方から持ち上げて、カバー本体１の内部に一対の高圧電線ｗ１・ｗ２の端末を導入する。この場合、一対のキャップ片２ａ・２ｂを開いておくと、一対の高圧電線ｗ１・ｗ２の端末の導入が容易である。
【００５９】
次に、図３を参照して、絶縁操作棒５を用いて、一対のキャップ片２ａ・２ｂを閉じておく。次に、一対の止めピン３１・３２の先端縁が離間した状態から、二つのフランジ板３１ｆ・３１ｆの間に先端爪５１ａを挿入すると共に、二つのフランジ板３２ｆ・３２ｆの間に先端爪５１ｂを挿入した状態で、一対の開閉腕５ａ・５ｂを閉じる。そして、Ｙ字状に分岐した一対の高圧電線ｗ１・ｗ２の間に一対の止めピン３１・３２が挿通するように、一対の止めピン３１・３２を互いに近づけ、一対の止めピン３１・３２の先端部を係合する（図４参照）。これにより、高圧端子カバー１０の取り付け作業を完了する。
【００６０】
図１から図５に示した高圧端子カバー１０は、Ｙ字状に分岐した一対の高圧電線ｗ１・ｗ２の間に一対の止めピン３１・３２を挿通し、一対の段差３ｕ・３ｕが重なる部分が一対の高圧電線ｗ１・ｗ２で吊り下げられている。高圧端子カバー１０は、被覆が剥離された一対の高圧電線ｗ１・ｗ２の芯線を接続した蓄力コネクタ８が外部に露出しないように（図８（Ａ）参照）、絶縁性を有するキャップ体２及びカバー本体１で保護している。
【００６１】
実施形態による高圧端子カバー１０は、絶縁操作棒５を操作して一対の開閉腕５ａ・５ｂを開閉することで（図２又は図３参照）、一対の止めピン３１・３２の先端縁が離間した状態と互いに当接した状態に一対の止めピン３１・３２を容易に連動できる。そして、実施形態による高圧端子カバー１０は、絶縁操作棒５を用いて、高圧電線への取り付けが容易である。
【００６２】
本発明による高圧端子カバーは、次のような効果が期待される。
（ア）高圧端子カバーを間接活線作業で取り扱うことができる。
（イ）止めピンの抜き差しが不要になる。
（ウ）止めピンがカバー本体から外れないため、落下の心配が無くなる。
（エ）絶縁操作棒を用いて、キャップ体を確実に把持できる。
【００６３】
本発明による高圧端子カバーは、絶縁操作棒を用いて、Ｙ字状に分岐した一対の高圧電線の端末を保護する実施形態を開示したが、Ｙ字状に分岐した複数の高圧電線の端末を保護することもでき、低圧電線の端末も保護できる。本発明による高圧端子カバーは、間接活線作業が効率化され、作業時間の短縮が期待できる。
【符号の説明】
【００６４】
１  カバー本体
２  キャップ体
５  絶縁操作棒
５ａ・５ｂ  一対の開閉腕
１０  高圧端子カバー
３１・３２  一対の止めピン
５１ａ  先端爪
５１ｂ  先端爪
ｍ１・ｍ２  係合部
ｎ１・ｎ２  把持部
ｗ１・ｗ２  一対の高圧電線
【図１】
2015070784.tif 000003
【図２】
2015070784.tif 000004
【図３】
2015070784.tif 000005
【図４】
2015070784.tif 000006
【図５】
2015070784.tif 000007
【図６】
2015070784.tif 000008
【図７】
2015070784.tif 000009
【図８】
2015070784.tif 000010